(57)【要約】【課題】分類構造に係る処理について、ユーザによる指示権限を制御する。【解決手段】  格納構造としての通常キャビネット２３０に格納されたファイルは、設定された分類構造としての分類ビュー２０４に分類されている。分類ビューには、ユーザによる指示権限を制御する手段として、分類ビューアクセス権リスト２２０が設けられており、この分類ビュー以下の参照権をユーザＸ，Ｙに限定している。ユーザＺは、通常キャビネットの側では文書Ｂ２５０に対する参照権を有しているが、この分類ビュー以下の参照権がないため、分類された文書Ｂ２１６にアクセスできない。また、分類ビュー以下の分類フォルダ２０８，２１０，２１２にもアクセスすることができない。【選択図】図３
2006163873.tif 000002
【特許請求の範囲】
【請求項１】
格納構造における格納箇所にファイルを格納して管理するファイル管理機能を備えたコンピュータシステムに対し、
ファイルの分類箇所を備えた分類構造の設定処理、分類箇所に対しファイル分類条件に基づいて行うファイルの分類処理、及び、分類構造又は分類箇所についての表示処理を行う機能を備え、指示権限のあるユーザによる指示を受け付けて、これらの処理のうちの少なくとも一つを行う分類管理手段と、
分類管理手段におけるユーザの指示権限を制御する権限制御手段と、
を実行させる、ことを特徴とするファイル分類プログラム。
【請求項２】
請求項１に記載のファイル分類プログラムであって、
権限制御手段における指示権限の制御は、分類構造又は分類箇所にアクセスして処理を行うアクセス権の制御である、ことを特徴とするファイル分類プログラム。
【請求項３】
請求項２に記載のファイル分類プログラムであって、
アクセス権には、分類構造における少なくとも一部の分類箇所に対する読み取り権、作成権、削除権が含まれる、ことを特徴とするファイル分類プログラム。
【請求項４】
請求項２に記載のファイル分類プログラムであって、
ファイル管理機能には格納したファイルに対するファイルアクセス権が設定され、
権限制限手段においては、前記アクセス権とファイルアクセス権とを制限的に評価する、ことを特徴とするファイル分類プログラム。
【請求項５】
請求項１に記載のファイル分類プログラムであって、
コンピュータシステムは、複数のユーザによって使用され、
権限制御手段における指示権限の制御は、ある処理について少なくとも一人のユーザに対し排他的に指示権限を与えるロック権の制御である、ことを特徴とするファイル分類プログラム。
【請求項６】
請求項５に記載のファイル分類プログラムであって、
ロック権は、設定済みの分類構造を変更権限について設定され、これにより、前記少なくとも一人のユーザ以外はこの分類構造を変更することができない、ことを特徴とするファイル分類プログラム。
【請求項７】
請求項１に記載のファイル分類プログラムであって、
ファイル管理機能は、格納したファイルに日時型属性を付与して管理する機能を含み、
設定処理におけるファイル分類条件は、ファイルの日時型属性に対する条件を含む、ことを特徴とするファイル分類プログラム。
【請求項８】
請求項７に記載のファイル分類プログラムであって、
設定された時差情報に基づいて、ファイル分類条件に対する日時型属性の評価態様を補正する手段を備える、ことを特徴とするファイル分類プログラム。
【請求項９】
コンピュータシステムを構成する装置であって、
格納構造における格納箇所にファイルを格納して管理するファイル管理手段と、
ファイルの分類箇所を備えた分類構造の設定処理、分類箇所に対しファイル分類条件に基づいて行うファイルの分類処理、及び、分類構造又は分類箇所についての表示処理を行う機能を備え、指示権限のあるユーザによる指示を受け付けて、これらの処理のうちの少なくとも一つを行う分類管理手段と、
分類管理手段におけるユーザの指示権限を制御する権限制御手段と、
を備える、ことを特徴とするファイル分類装置。
【請求項１０】
格納構造における格納箇所にファイルを格納して管理するファイル管理機能を備えたコンピュータシステムが各ステップを実行する方法であって、
ファイルの分類箇所を備えた分類構造の設定処理、分類箇所に対しファイル分類条件に基づいて行うファイルの分類処理、及び、分類構造又は分類箇所についての表示処理を行う機能を備え、指示権限のあるユーザによる指示を受け付けて、これらの処理のうちの少なくとも一つを行う分類管理ステップと、
分類管理ステップにおけるユーザの指示権限を制御する権限制御ステップと、
を含む、ことを特徴とするファイル分類方法。
【発明の詳細な説明】
【技術分野】
【０００１】
本発明は、コンピュータシステム上で文書ファイルをはじめ各種ファイルを分類する技術、特に、コンピュータシステムに通常設けられる格納構造とは別の構造に従ってファイルを分類する技術に関するものである。
【背景技術】
【０００２】
下記特許文献１には、コンピュータシステムに通常設けられるファイル格納用の構造とは別に、分類用の階層構造を設けて文書ファイルを分類し、この分類に従って文書ファイルを参照する技術が開示されている。図９は、この文献に示されたコンピュータシステムの主要部をなす装置構成を示すブロック図である。装置は、主たる構成として、ファイルに対する基本操作を行うファイリングモデル制御部５００、文書ファイルを管理する属性内容管理部５１０、及び表示部５２０を備えている。
【０００３】
属性内容管理部５１０には、文書格納部５１２、分類構造格納部５１４が設けられている。文書格納部５１２は、文書ファイルの内容と属性を格納し、また、分類構造の分類先へのリンク情報も格納している。この文書格納部５１２の主たる役割は、格納構造に文書ファイルを格納して管理することである。他方、分類構造格納部５１４は、文書ファイルを分類構造に分類するためのものである。分類構造格納部５１４には、分類構造の構造、分類構造の分類条件、分類構造に分類されている文書ファイルへのリンク情報が記憶されている。
【０００４】
ファイリングモデル制御部５００には、分類条件設定部５０２、自動分類部５０４、分類構造作成部５０６、制御部５０８が設けられている。分類条件設定部５０２は、分類構造を規定する分類条件の設定を行うための構成である。自動分類部５０４は、文書ファイルの属性と分類構造に設定された分類条件とから文書ファイルの分類箇所を決定し、文書ファイルとこの分類箇所との間にリンクを張って分類を行っている。また、分類構造作成部５０６は、自動分類にあたり分類対象の文書ファイルの属性をもつ分類箇所が無い場合に、新たな分類箇所を作成するものである。制御部５０８はこれらの構成部分の全体を制御している。
【０００５】
この装置においては、分類条件設定部５０２が、分類構造格納部５１４に分類条件を設定し、自動分類部５０４が、文書格納部５１２に格納されている文書ファイルをその属性に基づいて分類構造に分類する。この時、必要に応じて分類構造作成部５０６が分類構造における分類箇所の作成・削除を行っている。また、表示部５２０は、分類構造や分類構造に対する文書ファイルの分類状況等を表示する。
【０００６】
【特許文献１】特開平０９−０４４３９３号公報
【発明の開示】
【発明が解決しようとする課題】
【０００７】
上記特許文献１の技術では、格納用の構造において設定されたファイルに対するファイルアクセス権を評価する機能はあるが、分類用の構造についてのアクセス権を設定する機能は設けられていない。このため、分類によって加えられた付加価値を保護することができなかった。また、この技術では、あるユーザが設定した分類構造に対し、他のユーザが変更等の処理を行うことについて明示的な排他制御を行う機能は設けられていない。このため、当初設定したユーザが意図しない変更等が行われてしまう虞があった。
【０００８】
さらに、上記特許文献１の技術においては、ファイルの分類条件は文字属性に関するものに限定されており、ファイルに与えられる日時型属性等を用いた分類ができなかった。このため、日時に基づく分類設定を行う際には、文字列の評価を行わなければならず煩雑であった。
【０００９】
本発明の目的は、分類構造に係る処理について、ユーザによる指示権限を制御する技術を確立することにある。
【００１０】
本発明の別の目的は、分類構造を用いたファイル分類において、日時に基づく分類設定を容易化することにある。
【課題を解決するための手段】
【００１１】
本発明のファイル分類プログラムは、格納構造における格納箇所にファイルを格納して管理するファイル管理機能を備えたコンピュータシステムに対し、ファイルの分類箇所を備えた分類構造の設定処理、分類箇所に対しファイル分類条件に基づいて行うファイルの分類処理、及び、分類構造又は分類箇所についての表示処理を行う機能を備え、指示権限のあるユーザによる指示を受け付けて、これらの処理のうちの少なくとも一つを行う分類管理手段と、分類管理手段におけるユーザの指示権限を制御する権限制御手段と、を実行させる。
【００１２】
コンピュータシステムとは、単体のコンピュータ、または、接続された複数のコンピュータやファイルサーバを用いて構成された装置である。また、ファイル格納機能は、格納構造を構成する格納箇所にファイルを格納して管理する機能である。多くのコンピュータシステムに設けられているディレクトリやフォルダによって作られる階層構造は格納構造の典型例であり、個々のディレクトリやフォルダは格納箇所の典型例である。このディレクトリやフォルダに格納されるファイルの実体は、そのコンピュータ上に実体が置かれていても、別のファイルサーバやコンピュータ上に置かれていてもよい。なお、ファイル管理機能は、当該ファイル分類プログラムとともにパッケージ化されたソフトウエアによって実現されるものであってもよい。
【００１３】
分類管理手段は、設定処理、分類処理及び表示処理を行う機能を備える。設定処理は、ファイルの分類箇所を備えた分類構造を設定するものである。分類構造は、ファイルを分類するために格納構造とは別に構成された構造であり、ファイルが分類される位置である複数の分類箇所を備える。分類構造の設定においては、分類構造の作成、削除、変更や、分類構造の属性の設定、分類構造を自動構成するための条件設定等が行われる。分類処理は、ファイルの分類に係る処理である。分類処理は、分類条件に従って、分類箇所おいてファイルを配置、移動、削除等をすることで行われる。また、表示処理は、分類構造の表示や分類箇所の表示（そこに含まれるファイルの表示を含む）を行う処理である。これらの処理は、プログラミングされた条件等に基づいて自動的に実施されてもよいが、典型的には、ユーザの指示に基づいて実施される。
【００１４】
権限制御手段は、ユーザの指示に係る処理対象や処理態様を制御するものであり、典型的には、許可、不許可、条件付き許可などを行う。権限制御手段は、ユーザ指示に基づいて実行されてもよいし、設定にされた条件に従って自動的に実施されてもよい。
【００１５】
この構成によれば、従来からある格納構造を用いたファイル管理機能を利用してではなく、分類構造そのものに対してユーザの指示権限の制御が可能となる。したがって、分類構造を導入することで加えられた付加情報や分類構造自体の保護を図り、セキュリティを向上させることができる。
【００１６】
本発明のファイル分類プログラムの一態様においては、権限制御手段における指示権限の制御は、分類構造又は分類箇所にアクセスして処理を行うアクセス権の制御である。アクセス権の対処なる処理の例としては、分類構造の作成、分類構造の変更、分類構造の参照を挙げることができる。この構成によれば、分類構造をブラウジング（階層のリスト表示）するユーザやグループなどを特定することが可能となる。また、分類設定を行えるユーザやグループなども特定することが可能となる。
【００１７】
本発明のファイル分類プログラムの一態様においては、アクセス権には、分類構造における少なくとも一部の分類箇所に対する読み取り権（参照権）、作成権、削除権が含まれる。つまり、少なくとも一部の分類箇所に対する読み取り権、作成権、削除権等が含まれる。また、分類構造に分類条件が設定されている場合には、この分類条件に対する変更権を設定してもよい。なお、権限制御手段に対し、こうしたアクセス権の設定変更権を制御させることも有効である。
【００１８】
本発明のファイル分類プログラムの一態様においては、ファイル管理機能には格納したファイルに対するファイルアクセス権が設定され、権限制限手段においては、前記アクセス権とファイルアクセス権とを制限的に評価する。これにより、元々アクセス不可能なファイルがアクセス可能になってしまうことを回避できる。
【００１９】
本発明のファイル分類プログラムの一態様においては、コンピュータシステムは、複数のユーザによって使用され、権限制御手段における指示権限の制御は、ある処理について少なくとも一人のユーザに対し排他的に指示権限を与えるロック権の制御である。本発明のファイル分類プログラムの一態様においては、ロック権は、設定済みの分類構造を変更権限について設定され、これにより、前記少なくとも一人のユーザ以外はこの分類構造を変更することができない。なお、分類構造を変更する権限についてロック権がされているだけであれば、この構造に対するファイルの分類は（アクセス可能な）他のユーザによって自由に実施され得る。
【００２０】
本発明のファイル分類プログラムの一態様においては、ファイル管理機能は、格納したファイルに日時型属性を付与して管理する機能を含み、設定処理におけるファイル分類条件は、ファイルの日時型属性に対する条件を含む。この構成によれば、日時型属性を利用して年度や月度への分類を容易に行うことができる。本発明のファイル分類プログラムの一態様においては、設定された時差情報に基づいて、ファイル分類条件に対する日時型属性の評価態様を補正する手段を備える。補正は、分類管理手段における設定処理、分類処理、表示処理のいずれの段階で行われてもよい。
【００２１】
本発明のファイル分類装置は、コンピュータシステムを構成する装置であって、格納構造における格納箇所にファイルを格納して管理するファイル管理手段と、ファイルの分類箇所を備えた分類構造の設定処理、分類箇所に対しファイル分類条件に基づいて行うファイルの分類処理、及び、分類構造又は分類箇所についての表示処理を行う機能を備え、指示権限のあるユーザによる指示を受け付けて、これらの処理のうちの少なくとも一つを行う分類管理手段と、分類管理手段におけるユーザの指示権限を制御する権限制御手段と、を備える。
【００２２】
本発明のファイル分類方法は、格納構造における格納箇所にファイルを格納して管理するファイル管理機能を備えたコンピュータシステムが各ステップを実行する方法であって、ファイルの分類箇所を備えた分類構造の設定処理、分類箇所に対しファイル分類条件に基づいて行うファイルの分類処理、及び、分類構造又は分類箇所についての表示処理を行う機能を備え、指示権限のあるユーザによる指示を受け付けて、これらの処理のうちの少なくとも一つを行う分類管理ステップと、分類管理ステップにおけるユーザの指示権限を制御する権限制御ステップと、を含む。
【発明を実施するための最良の形態】
【００２３】
本発明は、上記特許文献１の技術を発展させてなされたものである。そこで、以下においては、上記特許文献１に示された技術に対する発展的部分を中心に、本発明の代表的な実施の形態を説明する。
【００２４】
図１は、本実施の形態に係るファイル分類システム１０の主たる構成例を説明する概略ブロック図である。この図は、上記特許文献１の技術との対比が明瞭となるように、図９をベースにして作成した図であり、ほぼ対応する構成には同一の番号を付して説明を簡略化する。
【００２５】
本ファイル分類システム１０における特徴的な点の一つは、ファイル分類を管理するファイル分類部２０の構成である。ここには、図９には示されていない新たな構成として、ロック権設定部２２、アクセス権設定部２４、排他制御評価部２６、アクセス権評価部２８が設けられている。そして、これらの構成の違いに対応した制御を実行可能な制御部３０が、制御部５０８の代わりに設けられている。また、本ファイル分類システム１０においては、属性内容管理部５１０の代わりに構造管理部４０が設けられている。この構造管理部４０には、分類構造格納部５１４の代わりに分類構造格納部４２が設けられ、分類構造格納部４２にはアクセス権情報とロック権情報が新たに記憶されている。
【００２６】
ロック権設定部２２は、分類構造全体や、分類構造における分類箇所に対して排他的制御を行うロック権を設定するものである。つまり、ロック権は、分類されたファイルそのものに対して設定されるのではなく、分類構造や分類箇所の構成を変更することに対して設定される。ロック権は、通常、その分類構造を設定したユーザからの指令に基づいて設定される。
【００２７】
アクセス権設定部２４は、分類構造や分類箇所に対するアクセス権を設定するものである。つまり、アクセス権は、分類されたファイルに対してではなく、分類構造や分類箇所の構成に対して設定される。アクセス権には、読み取り権、作成権、削除権が含まれる。読み取り権は、分類構造や分類箇所の存在や、そこに設定された分類条件、そこに分類されたファイルのリスト等を表示させる権利である。また、作成権と削除権は、分類構造、分類箇所や対応する分類条件等を作成、削除する権利である。さらに、アクセス権として、分類条件の変更や分類構造の名称変更を可能にする属性変更権、これらのアクセス権に対する権限を変更するアクセス権変更権を設定することができる。
【００２８】
排他制御評価部２６は、ユーザから処理指令入力を受けた場合に、ロック権の設定の有無を評価して、指令を受け付けるか否か評価する。また、アクセス権評価部２８は、ユーザから処理指令入力を受けた場合に、アクセス権の設定の有無を評価して、指令を受け付けるか否か評価する。
【００２９】
制御部３０は、これらの各部を制御して、ファイル分類部２０にユーザの指示権限を制御する機能を実現させる。すなわち、ロック権設定部２２により設定されたロック権とアクセス権設定部２４により設定されたアクセス権を受け付けて分類構造格納部４２に記憶させる。また、制御部３０は、ユーザからの処理指令入力があった場合に、排他制御評価部２６にロック権を、アクセス権評価部２８にアクセス権を評価させて、その結果に基づいて処理を実行するか否か決定する。
【００３０】
ここで、図２を用いて、分類構造についての概念的説明を行う。分類キャビネット６０は、複数の分類構造が収納される階層構造における最上位のオブジェクトである。分類キャビネット６０の下には、ツリー状の階層構造が設定されている。分類ドロワー７０，７２，．．は分類キャビネット６０の直下にあるオブジェクトであり、分類キャビネットの中を大まかに分割して整理するために設けられている。分類ドロワーの直下のオブジェクトは分類ビューと呼ばれ、例えば、分類ドロワー７０の下には分類ビュー８０が設けられている。分類ビューは、分類条件によって設定される分類構造の最上位に位置するオブジェクトである。
【００３１】
分類ビューの下位には、分類フォルダが置かれる。分類フォルダは、多層の階層構造をもって設定されることができる。例えば、分類ビュー８０の直下には、分類フォルダ９０，９２が形成され、分類フォルダ９０の直下には分類フォルダ１００，１０２，１０４が、分類フォルダ９２の直下には分類フォルダ１０６，１０８，１１０が形成されている。
【００３２】
文書ファイルは、分類ビューの直下、または、分類フォルダの直下に分類される。この例では、分類フォルダ１００の下には、文書ファイル１２０，１２２，１２４，１２６，１２８が分類されている。
【００３３】
各分類ビューは、通常、分類条件リストに基づいて作成される。例えば、分類ビュー８０は、分類条件リスト１３０に基づいて作成されている。分類条件リスト１３０には、この例においては、第１分類条件１３２と第２分類条件１３４が設定されている。第１分類条件１３２は、分類ビュー８０の直下に位置する分類フォルダを作成するための条件であり、分類フォルダ９０、９２はこれにより作成された分類フォルダである。また、第２分類条件１３４は、もう一段下位の分類フォルダを作成するための条件であり、分類フォルダ１００〜１１０は、これにより形成されたものである。さらに深い層に分類フォルダを形成するためには、対応する分類条件を設定すればよい。
【００３４】
次に、図３を用いて、分類キャビネットにアクセス権を設定する例を説明する。図３は、図２に示した分類ビューの一例を示す模式図であり、分類キャビネット２００以下の構造に対して、通常キャビネット２３０以下の構造に格納されたファイルを分類した場合におけるアクセス制御の態様を説明する図である。ここで、分類キャビネット２００は、図２において説明したように、ファイルを分類するための構造を収納したものである。また、通常キャビネット２３０は、ファイル分類システム１０において本来的にファイルが格納される構造を示している。大まかに言えば、通常キャビネット２３０は図１における文書格納部５１２に記憶された情報を反映したものであり、分類キャビネット２００は、分類構造格納部４２に記憶された情報を反映したものである。
【００３５】
分類キャビネット２００の下の階層には、分類ドロワー２０２、その下の階層には分類ビュー２０４が設けられている。そして、分類ビュー２０４の下の階層には、分類フォルダ２０８，２１０，２１２が設けられており、このうち分類フォルダ２１２には、文書ファイルとしての文書Ａ２１４と文書Ｂ２１６が分類されている。なお、分類ビュー２０４においてはアクセス権の設定がなされており、分類ビューアクセス権リストはその設定状況を部分的に示している。これによれば、分類ビュー２０４に対するアクセス権として、ユーザＸ，Ｙに対し参照権が与えられている。
【００３６】
他方、通常キャビネット２３０の下の階層には通常ドロワー２３２が設けられ、その下の階層には通常ビュー２３４が設けられている。通常ビュー２３４の下には、通常フォルダ２３６，２３８，２４０が並列的に設けられており、さらに通常フォルダ２３６の下には通常フォルダ２４２，２４６が並列的に設けられている。通常フォルダ２４２，２４６，２４０には、それぞれ文書Ａ２４８、文書Ｂ２５０、文書２５２の各文書ファイルが格納されている。
【００３７】
ここで、通常フォルダ２３６以下に重ねて描かれた三角形は、分類ビュー２０４において分類処理の対象となる検索範囲２６０を示している。つまり、ここでは、通常フォルダ２４２に格納された文書Ａ２４８と通常フォルダ２４６に格納された文書Ｂ２５０が分類ビューにおいて分類処理を受け、分類フォルダ２１２以下に文書Ａ２１４、文書Ｂ２１６として分類されている。
【００３８】
なお、通常キャビネットにおいては、ファイルに対するアクセス権が設定されており、通常キャビネットアクセス権リスト２７０は、このアクセス権の設定状況を部分的に示したものである。これによれば、文書Ａに対するアクセス権として、ユーザＸ，Ｙに対し参照権が与えられている。また、文書Ｂに対するアクセス権として、ユーザＸ，Ｚに対し参照権が与えられている。
【００３９】
分類ビュー２０４におけるアクセス権は、分類ビューアクセス権リスト２２０の設定と、通常キャビネットアクセス権リスト２７０の設定とをＡＮＤ条件により評価して設定される。つまり、一方において制限されたアクセス権は、他方において制限されていない場合でも制限されることとなる。
【００４０】
ここに示した例では、分類ビュー２０４において、ユーザＸは、文書Ａ２１４，文書Ｂ２１６を参照することができる。これは、ユーザＸに対しては、分類ビュー２０４以下を参照することが許されており、かつ、文書Ａ２４８と文書Ｂ２５０の参照権が与えられていたからである。また、ユーザＹは、文書Ａ２１４を参照することができるが、文書Ｂ２１６を参照することはできない。これは、ユーザＹに対しては、分類ビュー２０４以下を参照することが許されているものの、文書Ｂ２５０に対しての参照権が与えられていなかったためである。
【００４１】
ユーザＺは、文書Ａ２１４と文書Ｂ２１６をともに参照することができない。これは、ユーザＺには文書Ｂ２５０に対する参照権が与えられているものの、分類ビュー２０４に対する参照権が与えられていないからである。このため、ユーザＺは、分類ビュー２０４自体を参照することができず、分類ビュー２０４の中にどのような分類フォルダが設けられているかのかさえも知ることができない。これは、分類フォルダーを通して、分類条件等が想像される事態を防ぎたい場合に有効な設定である。
【００４２】
このような分類ビューのアクセス権設定が有効な状況としては、各社員の業績評価表が通常キャビネットに文書ファイルとして格納されている場合に、分類ビューにおいて業績ランクを分類条件として分類を行う例を挙げることができる。各社員の業績管理表の文書ファイルには、通常キャビネットアクセス権リストにおいて、各社員とマネージャと人事部に対してアクセス権が付与されている。しかし、分類ビューにおける分類結果に対しては、マネージャと人事部のみが参照可能とするようにしたい。そこで、分類ビューアクセス権リストにおいては、マネージャと人事部に対してのみ参照権を付与し、一般社員に対しては分類フォルダーの構造さえも知ることができないようにすることが有効となる。つまり、一般社員は、どのような業績ランクが設定されているのか、また、そのランクに該当者がいるのかといった情報さえも非公開とすることが可能となる。
【００４３】
次に、ロック権の設定について説明する。図４は、分類キャビネットにおいて、ロック権が設定された場合の態様を模式的に説明する図である。分類キャビネット３００の下には分類ドロワー３０２が、分類ドロワー３０２の下には分類ビュー３０４が設けられている。分類ビュー３０４においては、分類条件に従って、分類フォルダ３０６、３０８，３１０が並列的に形成されている。そして、分類フォルダ３１０の下には、文書ファイル３１２，３１４が分類されている。
【００４４】
ここで、図中の領域３２０は、ロック権が設定された範囲を示している。すなわち、分類ビュー３０４以下に対してはロック権が設定されている。この結果、ロック権を設定したユーザ以外は、この分類ビュー３０４以下の構造の変更（例えば、分類フォルダの作成や削除）を行うことができない。これにより、分類が確定した分類ビュー３０４が他ユーザの操作ミス等で変更されてしまう事態を防止することができる。ただし、この分類ビュー３０４以下において文書ファイルを配置したり削除したりする分類処理に対してはロック権は設定されておらず、アクセス権のあるユーザであればそのような処理を命じることができる。なお、ロック権は、分類ビュー全体に対してだけでなく、一つまたは複数の分類フォルダに対しても設定することが可能である。
【００４５】
アクセス権及びロック権は、以上に示した例の他にも様々に設定できる。ここでは、図１で説明したアクセス権設定部２４で設定される読み取り権（参照権）、作成権、削除権、属性変更権及びアクセス権変更権と、ロック権設定部２２で設定されるロック権を用いて分類に係る様々な操作毎にアクセス権を設定する態様について説明する。
【００４６】
表１は、左列３５０に操作処理項目が記され、右列３５２にその実行に必要なアクセス権を得るための権限を記された表である。
【表１】
2006163873.tif 000003
例えば、「分類ビュー／分類フォルダの作成」３６０については、読み取り権及び作成権が設定されているユーザに対してこの操作を実行するアクセス権が与えられる。「分類ビュー／分類フォルダの削除」３６２についても同様である。これに対し、「分類構造のブラウジング」３６４、つまり、分類構造の階層をリスト表示する操作は、読み取り権さえあれば実施可能となる。また、「分類設定の定義変更」３６６、つまり、分類条件の設定には、読み取り権に加え属性変更権が必要となる。「分類ビューの属性変更」３７０、つまり、分離ビューの名称変更の操作についても同様である。さらに、「分類ビュー／分類フォルダのアクセス権変更」３６８は、読み取り権とアクセス権変更権が必要であり、「分類ビュー／分類フォルダのロック」３７２は、読み取り権とロック権が必要である。なお、ここに示した操作の他にも、様々な操作に対して、各権限を組み合わせてアクセス権を設定することが可能である。
【００４７】
続いて、図５〜図８を用いて、日時型属性を用いたファイルの期間分類制御について説明する。
【００４８】
図５は、期間分類制御を可能とするファイル分類システム４００の主たる構成例を説明する図である。この図は、上記特許文献１の技術との対比が明瞭となるように、図９をベースにして作成した図であり、ほぼ対応する構成には同一の番号を付して説明を簡略化する。
【００４９】
本ファイル分類システム４００における特徴的な点の一つは、ファイル分類を管理するファイル分類部４１０の構成である。ここには、図９には示されていない新たな構成として、期間情報入力部４１２、期間情報検索条件変換部４１４、期間用分類フォルダ作成部４１８、期間用分類フォルダ名前作成部４２０が設けられている。そして、これらの構成の違いに対応した制御を実行可能な制御部４２２が、制御部５０８の代わりに設けられている。
【００５０】
期間情報入力部４１２は、分類条件として期間分類を行うことを指定し、さらに、期間情報として年度、月度のいずれかを指定する。期間情報が年度の場合には、開始年、終了年、年度のオフセットを指定する。年度の指定を省略した場合には、入力した年度が自動で割り振られる。また、月度の場合には、開始年月、終了年月、月度のオフセットを指定する。開始年月の指定を省略した場合には、入力した年月が自動で割り振られる。
【００５１】
期間情報検索条件変換部４１４においては、分類の際に期間情報が検索条件に変換される。期間用分類フォルダ作成部４１８は、期間情報が年度の場合には、指定された開始年から終了年までの１年度ごとの分類フォルダを自動作成し、月度の場合には、指定された開始年月から終了年月までの１月毎の分類フォルダを自動作成する。また、期間用分類フォルダ名前作成部４２０は、分類フォルダの名前を期間情報から自動生成するための構成である。分類フォルダの名称を自動生成する場合、通常は分類条件に基づいて生成されるが、日時型属性に対する分類条件は複雑となるため、簡易な名前を生成することとした。
【００５２】
制御部４２２は、これらの各部を制御して、ファイル分類部４１０に次のような期間分類の制御を実現させる。すなわち、期間情報入力部４１２から、期間分類を行う指定があり、さらに対応する期間情報の設定がなされると、期間情報検索条件変換部４１４は、期間情報を分類条件として設定する。そして、期間用分類フォルダ作成部が、期間情報に対応した分類フォルダを作成し、期間用分類フォルダ名前作成部４２０が、分類フォルダの名前を期間情報に基づいて設定する。これにより、自動分類部５０４は、期間情報を分類条件として、ファイルに付与されている日時型属性に基づいて容易に分類を行うことができる。なお、日時型属性とは、ファイルに付与された属性のうち、年月日時秒などの時を表す数値によって値が与えられる属性を指す。ファイルには、通常、日時型属性として、ファイルの作成日や修正日などの属性が付与される。
【００５３】
次に図６を用いて、年度指定に基づく期間分類の例を説明する。図６においては、分類キャビネット４３０の下に、分類ドロワー４３２、分類ビュー４３４が直列に配置されている。分類ビュー４３４の下には、分類フォルダ４３６，４３８，４４０が形成されている。そして、分類フォルダ４４０には、文書Ａ４４２と文書Ｂ４４４が格納されている。
【００５４】
この分類ビューは、分類条件リスト４５０に基づいて設定されている。すなわち、属性「作成日時」を分類条件とし、期間は年度を単位としてなされること、開始年は２００１年度、終了年は２００３年度、年度は４月から開始することが指定されている。分類フォルダ４３６，４３８，４４０は、この分類条件に基づいてが作成されたものであり、それぞれ、２００１年度、２００２年度、２００３年度に対応している。
【００５５】
ファイルの分類は、ファイルに与えられた「作成日時」の属性の属性値を数値のまま評価することで行われる。例えば、２００３年度に対応する分類フォルダ４４０に対しては、「2003.4.1 0:0:0 から 2004.3.31 23:59:59 まで」という分類条件が設定されている。この結果、この分類条件を満たす「2003.4.1」の値をもつ文書Ａ４４２と「2004.3.31」の値をもつ文書Ｂ４４４のファイルが分類されたのである。
【００５６】
図７は、月度指定に基づく期間分類の例を説明する図である。図６と同一の構成には同位置の番号を付して説明を省略する。ここでは、分類ビュー４３４の下に並列的に作成された分類フォルダ４６０，４６２，４６４はそれぞれ２００４年４月度、２００４年５月度、２００４年６月度に対応している。これは、分類条件リスト４７０において、属性「作成日時」を月度で評価するように指定され、開始年月が２００４年４月度、終了年月が２００４年６月度、月度の開始は毎月１日からとするよう設定されたためである。この結果、例えば、２００４年６月度に対応する分類フォルダ４６４には、作成日時属性の値が「2004.6.1」である文書Ａ４６６と、作成日時属性の値が「2004.6.30」である文書Ｂ４６８が分類されている。
【００５７】
最後に、日時型属性に基づいて作成された分類ビューが、タイムゾーン設定（時差設定）の異なるユーザによって利用される場合に、そのユーザの環境に合わせて分類を行うための態様例を説明する。
【００５８】
この態様においては、どのタイムゾーンで判定するかの取り決めを時差情報に基づいて行い、分類フォルダの名前作成をどの言語で作成するかの取り決めをロケール（地域）情報に基づいて行う。そこで、ファイル分類システムにおいては、指定した期間情報（年度、年月）を利用者サイドのタイムゾーン情報に基づいて標準時に変換する構成と、分類フォルダーの名前の自動生成において、指定のロケール情報に基づいてその地区の言語で設定する構成とを設ける。
【００５９】
図８は、日本と米国との時差に対応して、期間分類を行う態様を説明する図である。ここでは、図７で説明した分類条件に基づいて分類ビュー４３４が構成されている。すなわち、作成されている分類フォルダ４８０，４８２，４８４は２００４年４月度、２００４年５月度、２００４年６月度に対応している。この分類キャビネット４３０の時差・地域情報４８８は、この分類キャビネット４３０が、時差＋９時間、設置場所は日本である旨を示している。一方、分類キャビネット４３０とネットワーク４９０で接続されたクライアントマシン４９２は米国に存在する。そして、このクライアントマシン４９２の時差・地域情報４９４は、時差−８時間、設置場所は米国である旨を示している。
【００６０】
そこで、分類キャビネットにおいては、このクライアントマシン４９２から分類ビュー４３４に対してファイル分類を行う要求を受け付けた場合、同時に受け取る時差・地域情報４９４に基づいて、時差−８時間のローカルタイムにあわせて分類を行うとともに、英語で分類フォルダの名称を表示する。この結果、分類フォルダ４８０，４８２，４８４はそれぞれ、「Apr 2004」、「May 2004」、「Jun 2004」と英語表記されている。また、分類フォルダ４８４に分類された文書Ａ４８６と文書Ｂ４８８は米国のローカルタイムに従って分類されており、例えば、文書Ｂ４８８は作成日時属性を「2004.6.30 0:0:0-8」として認識されて分類されている。
【００６１】
なお、このようにタイムゾーンやロケール（言語）環境が異なる場合の期間分類では、分類処理を利用者の環境に基づいて行う態様と、表示処理のみを利用者の環境に基づいて行う態様とが考えられる。すなわち、前者の場合には、利用者の時差・地域情報に分類条件及び分類フォルダー名を適合させて分類処理を行う。また、後者の場合には、分類処理自体は、分類キャビネットのもつタイムゾーンとロケール情報に従って行われ、既に設定済みの分類構造を参照する際に、利用者の時差・地域情報に適合させて表示を行う。表示にあたっては、分類構造のブラウジング処理の中で分類条件と分類フォルダー名を変換して利用者側のマシンに出力する処理が行われる。いずれを採用するかは、計算量等を考慮して決めればよい。
【図面の簡単な説明】
【００６２】
【図１】アクセス権・ロック権が導入されたファイル分類システムの概略構成例を示す図である。
【図２】分類構造としての分類キャビネットを説明する模式図である。
【図３】アクセス権の設定態様を説明する図である。
【図４】ロック権の設定態様を説明する図である。
【図５】期間分類が導入されたファイル分類システムの概略構成例を示す図である。
【図６】ファイルの日時属性を用いて年度分類する例を説明する図である。
【図７】ファイルの日時属性を用いて月度分類する例を説明する図である。
【図８】時差・地域情報に基づいて、分類・表示態様を変更する例を説明する図である。
【図９】背景技術の装置構成を説明する図である。
【符号の説明】
【００６３】
１０，４００  ファイル分類システム、２０  ファイル分類部、２２  ロック権設定部、２４  アクセス権設定部、２６  排他制御評価部、２８  アクセス権評価部、３０，４２２，５０８  制御部、４０  構造管理部、４２  分類構造格納部、４１０  ファイル分類部、４１２  期間情報入力部、４１４  期間情報検索条件変換部、４１８  期間用分類フォルダ作成部、４２０  期間用分類フォルダ名前作成部、５００  ファイリングモデル制御部、５０２  分類条件設定部、５０４  自動分類部、５０６  分類構造作成部、５１０  属性内容管理部、５１２  文書格納部、５１４  分類構造格納部、５２０  表示部。
【図１】
2006163873.tif 000004
【図２】
2006163873.tif 000005
【図３】
2006163873.tif 000006
【図４】
2006163873.tif 000007
【図５】
2006163873.tif 000008
【図６】
2006163873.tif 000009
【図７】
2006163873.tif 000010
【図８】
2006163873.tif 000011
【図９】
2006163873.tif 000012